(57)【特許請求の範囲】
【請求項１】
複数の端子金具が貫通する隔壁及び前記隔壁から突出する前記端子金具群を取り囲むフード部を備えたコネクタハウジングと、
前記フード部内において前記端子金具を取り囲んで内側にポッティング剤を充填するための充填用凹部と、
前記各充填用凹部に連通しつつ、前記フード部の内周面側において凹み形状に形成された前記ポッティング剤の補助溜まり部とを備え、
前記補助溜まり部の奥端面の位置が、前記充填用凹部の奥端面の位置と同じ位置または前記充填用凹部の奥端面の位置よりも奥側とされているコネクタ。
【請求項２】
前記充填用凹部内には、前記各端子金具を取り囲こみ、かつ充填されたポッティング剤の液面から突出する高さに設定されている区画壁が設けられている請求項１に記載のコネクタ。
【請求項３】
前記複数の端子金具は、前記区画壁を介して互いに接近状態にある端子金具群の複数群からなり、前記端子金具群の間に前記フード部内への異物侵入を抑制する異物対策リブが前記端子金具よりも突出する形態で設けられ、前記補助溜まり部は、前記異物対策リブにより分けられる前記フード部内の各領域に連通して形成されていることを特徴とする請求項２に記載のコネクタ。
【発明の詳細な説明】
【技術分野】
【０００１】
本明細書に開示される技術は、コネクタに関する。
【背景技術】
【０００２】
従来、車両用のコネクタとして、特開２０１３−１５７２５６号公報（下記特許文献１）に記載のものが知られている。このコネクタは、例えばディファレンシャルギヤケースやトランスミッション等のオイルが充填される機器ケースに取り付けられて、機器ケース内部に配置されている回路とケース外の制御回路等を接続するために用いられている。
【０００３】
このようなコネクタでは、コネクタハウジングの隔壁を挟んだ両側に嵌合凹部が設けられており、端子金具が隔壁を貫通しかつ嵌合凹部内に突出する形態でインサート成形されている。そして、端子金具の貫通部分を通ってオイルが漏洩しないように、一方の嵌合凹部の奥側にポッティング剤が充填されている。
【先行技術文献】
【特許文献】
【０００４】
【特許文献１】特開２０１３−１５７２５６号公報
【発明の概要】
【発明が解決しようとする課題】
【０００５】
しかしながら、特開２０１３−１５７２５６号公報（上記特許文献１）の構成では、ポッティング剤の注入口が端子金具と接触することを防ぐために、端子金具の突出している部分をさけて嵌合凹部の奥側にポッティング剤を注入する。そのため、ポッティング剤の注入位置がコネクタハウジングの嵌合凹部の壁面に近接することになる。このような位置では、ポッティング剤は壁面側には広がることができない。そのため、粘度が高いポッティング剤を注入する際に、注入されたポッティング剤が注入ポイントから流れ拡がるスピードよりも注入スピードが速くなると、ポッティング剤が壁面側に盛り上がり溢れ出る虞がある。
【課題を解決するための手段】
【０００６】
本明細書で開示されるコネクタは、複数の端子金具が貫通する隔壁及び前記隔壁から突出する前記端子金具群を取り囲むフード部を備えたコネクタハウジングと、前記フード部内において前記端子金具を取り囲んで内側にポッティング剤を充填するための充填用凹部と、前記各充填用凹部に連通しつつ、前記フード部の内周面側において凹み形状に形成された前記ポッティング剤の補助溜まり部とを備え、前記補助溜まり部の奥端面の位置が、前記充填用凹部の奥端面の位置と同じ位置または前記充填用凹部の奥端面の位置よりも奥側とされている。
【０００７】
このような構成のコネクタによると、補助溜まり部の近くにポッティング剤を注入すれば、注入されたポッティング剤は注入ポイントから充填用凹部に流入するだけでなく、一時的に補助溜まり部にも広がる。このため、ポッティング剤の注入速度が大きくても、補助溜まり部がない場合に比べて注入ポイントにおける液面の上昇度合いが少なく、フード部からポッティング剤が溢れ出ることを抑制できる。
【０００８】
本明細書に開示されるコネクタの実施の態様として、以下の構成としても良い。
前記充填用凹部内には、前記各端子金具を取り囲こみ、かつ充填されたポッティング剤の液面から突出する高さに設定されている区画壁が設けられている構成としても良い。
【０００９】
区画壁のうちポッティング剤から突出した部分によって、端子金具の間の沿面距離を長くする機能を発揮し、端子金具間の絶縁性能が向上する。区画壁によって区切られることで、ポッティング剤が充填用凹部内に流入しにくくなるが、補助溜まり部によってポッティング剤が溢れ出ることを抑制できる。
【００１０】
また、前記複数の端子金具は、前記区画壁を介して互いに接近状態にある端子金具群の複数群からなり、前記端子金具群の間に前記フード部内への異物侵入を抑制する異物対策リブが前記端子金具よりも突出する形態で設けられ、前記補助溜まり部は、前記異物対策リブにより分けられる前記フード部内の各領域に連通して形成されている構成としても良い。
【００１１】
このような構成によると、異物対策リブによってフード部内への異物侵入を抑制しながら、注入されたポッティング剤の流れを円滑にして各充填用凹部にポッティング剤を均等に流し込むことができる。
【発明の効果】
【００１２】
本明細書に開示されたコネクタによれば、ポッティング剤が壁面側に盛り上がって溢れ出ることを抑制することができる。
【図面の簡単な説明】
【００１３】
【図１】実施形態１におけるコネクタの正面図
【図２】同側面図
【図３】同背面図
【図４】図１におけるＩＶ−ＩＶ断面における断面図
【図５】図２におけるＶ−Ｖ断面における断面図
【図６】図２におけるＶＩ−ＶＩ断面における断面図
【図７】コネクタハウジングの側面図
【図８】Ｖ−Ｖ断面におけるコネクタハウジングの断面図
【図９】ＶＩ−ＶＩ断面におけるコネクタハウジングの断面図
【図１０】実施形態２における図５における位置でのコネクタの断面図
【図１１】実施形態２における図６における位置でのコネクタの断面図
【図１２】実施形態２における図９における位置でのコネクタハウジングの断面図
【発明を実施するための形態】
【００１４】
＜実施形態１＞
実施形態１について図１から図９を参照して説明する。
本実施形態におけるコネクタ１０は、車両のトランスミッションにおいてミッションケースに設けられた取付孔に取り付けられるものである。ミッションケースの外部に配されたワイヤハーネスと内部に配された電装部品とを中継接続するのにコネクタ１０が使用される。したがって、コネクタ１０は、ミッションケースの外部から内部に水や異物などが進入することを防ぐ役割と、ミッションケースの内部から外部にオイルが漏れることを防ぐ役割とを有している。
【００１５】
コネクタ１０は、図１から図３に示すように、端子金具２０と、合成樹脂製のコネクタハウジング３０と、ポッティング剤８０とを備えている。コネクタハウジング３０は、ミッションケース内の電装部品との接続部である内部接続部３１と、ワイヤハーネスと接続される外部接続部５０と、内部接続部３１と外部接続部５０と間に設けられた隔壁３３とを備えている。隔壁３３の外周には、ゴムリング装着溝３５が周設されている。ゴムリング装着溝３５には、ゴムリング９０が嵌着されている。また、隔壁３３の外周には、ミッションケースにボルト締結される取付フランジ３７が径方向に突出して設けられている。取付フランジ３７には、金属カラー３９が保持されている。
【００１６】
隔壁３３には、図４及び図５に示すように、複数の端子金具２０が保持されている。端子金具２０は針状をなす雄端子であって、隔壁３３を貫通する態様で配設されている。端子金具２０は、クランク状をなす屈曲部２１を有しており、その屈曲部２１がインサート成形によって隔壁３３の内部に埋設されている。端子金具２０の一端部２３は、隔壁３３から内部接続部３１の内部に突出し、他端部２５は、隔壁３３から外部接続部５０の内部に突出している。端子金具２０は、図３に示すように、長手方向に４列、短手方向に３行並んでいる。そして、後記する触手対策リブ６５によって、２つの端子金具群２０Ａ、２０Ｂに分けられている。
【００１７】
外部接続部５０は、図４及び図８に示すように、フード部５１と、フード部５１の奥側が内周側に突出することで設けられた内壁部５３と、内壁部５３に囲われた充填用凹部５５と、補助溜まり部５７と、区画壁６１と、触手対策リブ６５（「異物対策リブ」の一例）を備えている。フード部５１は、複数の端子金具２０を取り囲むように略矩形状の内周形状で設けられており、ワイヤハーネス側コネクタの嵌合部の外周を囲うようになっている。
【００１８】
内壁部５３は、図８及び図９に示すように、フード部５１の奥側（隔壁３３側）の略３分の１の領域が内周側に突出してその部分が肉厚になることで形成されており、フード部５１の内周形状とほぼ同じ内周形状となっている。内壁部５３の背面側（ワイヤーハーネス側コネクタ側）の面が、ワイヤハーネス側コネクタとの嵌合面５３Ａとなっている。内壁部５３の幅方向（長手方向）の側方には、触手対策用の補助リブ５３Ｂが背面側に向かって突出している。
【００１９】
充填用凹部５５は、図８及び図９に示すように、背面視において、略矩形状をなしている。充填用凹部５５では、充填用凹部５５の奥壁（隔壁３３）から突出した端子金具２０の他端部２５を取り囲んで内側にポッティング剤８０（図３参照）が充填される。そして、充填用凹部５５と連通するように補助溜まり部５７が設けられている。補助溜まり部５７は、充填用凹部５５の長手方向の略中央位置に設けられており、充填用凹部５５の短手方向の両側に設けられている。補助溜まり部５７は、内壁部５３の一部がフード部５１側に切欠かれることで形成されている。補助溜まり部５７は、フード部５１の内周面側において凹み形状に形成されている。補助溜まり部５７の奥端面の位置は、充填用凹部５５の奥端面の位置と同じ位置とされている。
【００２０】
区画壁６１は、図８に示すように、隣り合う端子金具２０の他端部２５を互いに隔離している。区画壁６１は、２つの端子金具群２０Ａ、２０Ｂにそれぞれ設けられている。各区画壁６１は、互いに平行に配置された２つの第１区画壁６１Ａと、２つの第１区画壁６１Ａと直交して配置された第２区画壁６１Ｂとを備えており、略格子状をなしている。各区画壁６１は、図４に示すように、ポッティング剤８０の液面高さよりも高くなっている一方で、端子金具２０の他端部２５の突出高さよりも低くなっている。
【００２１】
また、図８に示すように、触手対策リブ６５が第２区画壁６１Ｂと平行になるように設けられている。触手対策リブ６５は、２つの第２区画壁６１Ｂの略中央位置に配されている。そして、図４に示すように、区画壁６１よりもその高さが高くなっており、端子金具２０の他端部２５の突出高さよりも高くなっている。触手対策リブ６５によって、充填用凹部５５は２つの領域に分けることができる。
【００２２】
そして、図４及び図８に示すように、触手対策リブ６５を挟んで対角の位置（注入ポイントＰ）からポッティング剤８０が充填用凹部５５内に注入される。ポッティング剤８０は、粘度が高いため、高さ方向に若干盛り上がりながらゆっくりとした速度で四方に広がり、各区画壁６１と内壁部５３との間や各区画壁６１と触手対策リブ６５との間を流れて広がっていく。この際に、触手対策リブ６５によって端子金具群２０Ａ、２０Ｂが区画されていることから、充填用凹部５５内にポッティング剤８０を均等に流し込むことができる。このようにして、各端子金具２０の周縁部に充填され、ポッティング剤８０の液面高さが既定位置になるまで充填用凹部５５内に充填される。なお、注入ポイントＰは図示された位置に限らず、端子金具２０等に接触しない他の位置であっても良い。
【００２３】
また、ポッティング剤８０の注入ポイントＰと内壁部５３との間に補助溜まり部５７が設けられていることから、注入されたポッティング剤８０は注入ポイントＰから補助溜まり部５７にも広がる。つまり、注入ポイントＰから内壁部５３側に広がったポッティング剤８０は、高さ方向に盛り上がるのではなく、補助溜まり部５７に拡がることになる。なお、補助溜まり部５７は、内壁部５３の一部が切り欠かれているだけなので、十分な嵌合面５３Ａの広さを確保することができる。
【００２４】
図４に示すように、ポッティング剤８０の注入作業が完了すると、ポッティング剤８０の液面の高さ位置よりも各区画壁６１の高さ位置が高くなるため、ポッティング剤８０の液面から突出した各区画壁６１によって隣り合う一対の端子金具２０が隔離され、一対の端子金具２０間の沿面距離を十分に稼ぐことができる。また、各区画壁６１および触手対策リブ６５によって各端子金具２０を保護することができる。
【００２５】
以上のように本実施形態では、補助溜まり部５７の近くにポッティング剤８０を注入すれば、注入されたポッティング剤８０は注入ポイントＰから充填用凹部５５に流入するだけでなく、補助溜まり部５７にも広がる。このため、ポッティング剤８０の注入速度が大きくても、補助溜まり部５７がない場合に比べて注入ポイントＰにおける液面の上昇度合いが少なく、内壁部５３を超えてフード部５１からポッティング剤８０が溢れ出ることを抑制できる。
【００２６】
また、充填用凹部５５内には、各端子金具２０を取り囲こみ、かつ充填されたポッティング剤８０の液面から突出する高さに設定されている区画壁６１が設けられている。区画壁６１のうちポッティング剤８０から突出した部分によって、端子金具２０の間の沿面距離を長くする機能を発揮し、端子金具２０間の絶縁性能が向上する。区画壁６１によって区切られることで、ポッティング剤８０が充填用凹部５５内に流入しにくくなるが、補助溜まり部５７によってポッティング剤８０が溢れ出ることを抑制できる。
【００２７】
さらに、複数の端子金具２０は、区画壁６１を介して互いに接近状態にある端子金具２０群の複数群２０Ａ、２０Ｂからなり、端子金具群２０Ａ、２０Ｂの間にフード部５１内への異物侵入（触手）を抑制する触手対策リブ６５が端子金具２０よりも突出する形態で設けられ、補助溜まり部５７は、触手対策リブ６５により分けられるフード部５１内の各領域に連通して形成されている。このような構成によると、触手対策リブ６５によってフード部５１内への異物侵入（触手）を抑制しながら、注入されたポッティング剤８０の流れを円滑にして充填用凹部５５にポッティング剤８０を均等に流し込むことができる。
【００２８】
＜実施形態２＞
次に、実施形態２を図１０〜図１２によって説明する。
実施形態２のコネクタ１１０では、補助溜まり部１５７の形状が、実施形態１とは相違する。なお、実施形態１と同一機能を有する部材、部位については、同一の符号を付すことで、説明を省略しまたは簡略化する。
【００２９】
コネクタ１１０のコネクタハウジング１３０の外部接続部１５０には、充填用凹部５５と連通するように補助溜まり部１５７が設けられている。補助溜まり部１５７は、充填用凹部５５の長手方向の略中央位置に設けられており、充填用凹部５５の短手方向の両側に設けられている。補助溜まり部１５７は、内壁部５３の一部がフード部５１側に切欠かれることで形成されており、補助溜まり部１５７の奥端面の位置は、充填用凹部５５の奥端面の位置よりも奥側とされている。つまり、補助溜まり部１５７は、充填用凹部５５よりも奥側に向かって凹み形状となるようにされている。
【００３０】
そして、ポッティング剤８０の注入ポイントＰと内壁部５３との間に補助溜まり部１５７が設けられていることから、注入されたポッティング剤８０は注入ポイントＰから補助溜まり部１５７にも広がる。この際に、補助溜まり部１５７が充填用凹部５５よりも深くなっていることから、高さ方向にもポッティング剤８０が流入して充填される。そのため、補助溜まり部１５７の面積を実施形態１よりも小さくしてもポッティング剤８０が溢れ出ることを抑制できる。
【００３１】
＜他の実施形態＞
本明細書によって開示される技術は上記記述及び図面によって説明した実施形態に限定されるものではなく、例えば次のような種々の態様も含まれる。
（１）上記実施形態１、２では区画壁６１及び触手対策リブ６５を設けていたが、なくても良い。
【００３２】
（２）上記実施形態１、２ではフード部５１の内周側に内壁部５３を設けていたが、フード部自体を肉厚にして、そこを凹ませるようにして補助溜まり部を形成しても良い。
【００３３】
（３）上記実施形態１、２では補助溜まり部５７、１５７を２つ設けていたが、注入ポイントＰの数に合わせて増減しても良い。なお、補助溜まり部５７、１５７の数は注入ポイントの数と等しい方が好ましいが、異なる数であっても良い。
【００３４】
（４）上記実施形態２では内壁部５３を凹ませた部分を奥側にさらに凹ませていたが、注入ポイントＰと内壁部５３との間の奥壁を奥側に凹ませることで補助溜まり部を形成しても良い。
【符号の説明】
【００３５】
１０、１１０…コネクタ
２０…端子金具
２０Ａ、２０Ｂ…端子金具群
３０、１３０…コネクタハウジング
３３…隔壁
５０、１５０…外部接続部
５１…フード部
５３…内壁部
５３Ａ…嵌合面
５５…充填用凹部
５７、１５７…補助溜まり部
６１…区画壁
６５…触手対策リブ（異物対策リブ）
８０…ポッティング剤
Ｐ…注入ポイント
【図１】
0006299719.tif 000002
【図２】
0006299719.tif 000003
【図３】
0006299719.tif 000004
【図４】
0006299719.tif 000005
【図５】
0006299719.tif 000006
【図６】
0006299719.tif 000007
【図７】
0006299719.tif 000008
【図８】
0006299719.tif 000009
【図９】
0006299719.tif 000010
【図１０】
0006299719.tif 000011
【図１１】
0006299719.tif 000012
【図１２】
0006299719.tif 000013